(57)【特許請求の範囲】
【請求項１】
夫々独立して動作可能な複数の可動体と、
それら複数の可動体を個別に駆動する複数の駆動手段と、
前記複数の可動体を夫々の原点位置を基準として所定の動作パターンに従って動作させるべく前記駆動手段を制御する駆動制御手段と
を備えた遊技機において、
前記動作パターンのうち、前記複数の可動体のうちの少なくとも２つが動作する複動作パターンによる演出を行う場合、その動作対象の可動体が夫々前記原点位置にあるか否かを判定し、
それら動作対象の可動体が全て各原点位置にあることを条件に、前記駆動制御手段が前記複動作パターンに従って前記駆動手段の駆動を開始させ、
前記動作対象の可動体の少なくとも１つが前記原点位置にない場合、それら動作対象の可動体が全て前記原点位置にくることを待って、前記駆動制御手段が前記複動作パターンに従って前記駆動手段の駆動を開始させ、
所定時間が経過しても前記動作対象の可動体の少なくとも１つが原点位置にこない場合には、前記複動作パターンによる演出と、その複動作パターンと同期して行われる他の演出とを取り消すように構成した
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機では、近年、大型の液晶表示手段を搭載したものが主流となっており、各社とも、その液晶表示手段に表示する演出画像等により他社製品との差別化を図ってきたが、液晶表示手段に表示するバーチャルな演出画像による差別化のみではもはや他社製品との差別化を十分に図ることが難しくなってきている。そこで、画像による演出に機械的な動作を組み合わせてより演出効果を高めようと、例えば液晶表示手段の前側等に可動体を設けたものが開発されている（例えば特許文献１）。
【先行技術文献】
【特許文献】
【０００３】
【特許文献１】特開２００７−６１４８７号公報
【発明の概要】
【発明が解決しようとする課題】
【０００４】
可動体を所定の動作パターンに従って動作させる演出を行う場合、可動体が原点位置にない場合であっても遊技の進行と整合しなくなる不具合を防止できる遊技機を提供することを目的とする。
【課題を解決するための手段】
【０００５】
本発明は、夫々独立して動作可能な複数の可動体と、それら複数の可動体を個別に駆動する複数の駆動手段と、前記複数の可動体を夫々の原点位置を基準として所定の動作パターンに従って動作させるべく前記駆動手段を制御する駆動制御手段とを備えた遊技機において、前記動作パターンのうち、前記複数の可動体のうちの少なくとも２つが動作する複動作パターンによる演出を行う場合、その動作対象の可動体が夫々前記原点位置にあるか否かを判定し、それら動作対象の可動体が全て各原点位置にあることを条件に、前記駆動制御手段が前記複動作パターンに従って前記駆動手段の駆動を開始させ、前記動作対象の可動体の少なくとも１つが前記原点位置にない場合、それら動作対象の可動体が全て前記原点位置にくることを待って、前記駆動制御手段が前記複動作パターンに従って前記駆動手段の駆動を開始させ、所定時間が経過しても前記動作対象の可動体の少なくとも１つが原点位置にこない場合には、前記複動作パターンによる演出と、その複動作パターンと同期して行われる他の演出とを取り消すように構成したものである。
【発明の効果】
【０００６】
本発明によれば、可動体を所定の動作パターンに従って動作させる演出を行う場合、可動体が原点位置にない場合であっても遊技の進行と整合しなくなる不具合を防止できる。
【図面の簡単な説明】
【０００７】
【図１】本発明の一実施形態を示すパチンコ機の全体正面図である。
【図２】センターケースの正面図で、（ａ）は開閉扉を開いた状態、（ｂ）は開閉扉を閉じた状態である。
【図３】センターケースの側面断面図である。
【図４】開閉扉を開いた状態でのセンターケースの裏構造体の正面図である。
【図５】制御系のブロック図である。
【図６】可動演出手段の動作パターンの一例を示す図である。
【図７】駆動制御処理のフローチャートである。
【図８】可動演出開始制御処理のフローチャートである。
【発明を実施するための形態】
【０００８】
以下、本発明の実施形態を図面に基づいて詳述する。図１〜図８は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。前面板５には、その前側に、発射手段（図示省略）に供給するための遊技球を貯留する貯留皿６、発射手段を作動させるための発射ハンドル７等が設けられている。
【０００９】
１１は遊技盤で、ガラス扉４の後側に対応するように前枠３に着脱自在に装着されている。遊技盤１１の前面側には、発射手段から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８等の各種遊技部品が配置されている。
【００１０】
センターケース１４は、遊技領域１３の略中央に配置され、図２〜図４等に示すように、遊技盤１１の前側から着脱自在に装着される前構造体２１と、この前構造体２１に対応して遊技盤１１の裏側に設けられる裏構造体２２とで構成されており、前構造体２１側に、入球案内手段２４、球落下通路２５ａ，２５ｂ、球案内ステージ２６、普通図柄表示手段２７、普通保留個数表示手段２８，特別図柄表示手段２９、特別保留個数表示手段３０等が、裏構造体２２側に液晶表示手段３１、可動演出手段３２等が夫々設けられている。
【００１１】
前構造体２１は、裏構造体２２側の液晶表示手段３１に対応する略矩形状の前表示窓３４を備えており、この前表示窓３４の上側に入球案内手段２４が、左右に球落下通路２５ａ，２５ｂが、下側に球案内ステージ２６が夫々配置されると共に、例えば前表示窓３４の周辺部の所定位置に普通図柄表示手段２７、普通保留個数表示手段２８，特別図柄表示手段２９、特別保留個数表示手段３０が配置されている。なお、前構造体２１は、その周囲に鍔状の盤面装着部３５を備えており、後部側を遊技盤１１の装着孔１１ａに前側から嵌合させ、盤面装着部３５を遊技盤１１の前面側に密着させた状態で、ネジ止め、圧入等により遊技盤１１に対して着脱自在に固定されている。
【００１２】
入球案内手段２４は、入球口３６、振り分けステージ３７、流入口３８ａ，３８ｂ等を備え、入球口３６に入球した遊技球を振り分けステージ３７上で左右方向に転動させ、流入口３８ａ，３８ｂの何れかに流入させるように構成されている。流入口３８ａ，３８ｂに流入した遊技球は、左右の球落下通路２５ａ，２５ｂ内を障害ピン３９に衝突しつつ落下し、左右の排出口４０ａ，４０ｂから球案内ステージ２６上に流入して左右に転動した後、前側に落下するようになっている。
【００１３】
普通図柄表示手段２７は、普通図柄を変動表示するためのもので、例えば「○」「×」の２種類の普通図柄に対応する２個の発光体（例えばＬＥＤ）により構成されており、通過ゲート等よりなる普通図柄始動手段１５が遊技球を検出することを条件にそれら２つの発光体が所定時間交互に点滅して、普通図柄始動手段１５による遊技球検出時に取得された当たり判定乱数値が予め定められた当たり判定値と一致する場合には当たり態様に対応する「○」側の発光体が発光した状態で、それ以外の場合には外れ態様に対応する「×」側の発光体が発光した状態で、点滅が終了するようになっている。
【００１４】
また、普通図柄表示手段２７の変動表示中、又は後述する普通利益状態中に普通図柄始動手段１５が遊技球を検出した場合には、その検出時に取得された当たり判定乱数値が予め定められた上限保留個数、例えば４個を限度として記憶されると共に、例えば上限保留個数と同数の発光体よりなる普通保留個数表示手段２８がその発光個数により当たり判定乱数値の記憶個数（以下、普通保留個数という）を表示して、その時点での普通保留個数を遊技者に報知するようになっている。
【００１５】
特別図柄始動手段１６は、特別図柄表示手段２９による図柄変動を開始させるためのもので、普通図柄表示手段２７の変動後の停止図柄が当たり態様となって普通利益状態が発生したときに、開閉手段１６ａが所定時間、所定回数だけ閉状態から開状態に変化するように構成されている。
【００１６】
特別図柄表示手段２９は、１個又は複数個、例えば１個の特別図柄を変動表示可能な７セグメント式等の表示手段により構成されており、特別図柄始動手段１６に遊技球が入賞することを条件に特別図柄を所定時間変動表示して、特別図柄始動手段１６への入賞時に取得された大当たり判定乱数値が予め定められた大当たり判定値と一致する場合には所定の大当たり態様で、それ以外の場合には外れ態様で停止するようになっている。
【００１７】
特別図柄には、例えば大当たり態様及び外れ態様が夫々１又は複数種類ずつ設けられている。なお、それら各態様には夫々数字図柄等を割り当ててもよいが、遊技者がその特別図柄の種類を容易に区別できないように、任意の線や点の組み合わせのような特別な意味を持たない図柄を割り当てることが望ましい。
【００１８】
特別図柄表示手段２９の変動後の停止図柄が大当たり態様となることに基づいて大当たり状態が発生すると、大入賞手段１７の開閉板１７ａが所定の開放パターンに従って前側に開放し、その上に落下した遊技球を内部へと入賞させるようになっている。
【００１９】
また、特別図柄の変動表示中、又は大当たり状態中に特別図柄始動手段１６に遊技球が入賞した場合には、その入賞時に取得された大当たり判定乱数値等が夫々所定の上限保留個数、例えば各４個を限度として記憶されると共に、特別保留個数表示手段３０が大当たり判定乱数値の記憶個数（以下、特別保留個数という）を表示して、その時点での特別保留個数を遊技者に報知するようになっている。
【００２０】
センターケース１４の裏構造体２２は、液晶表示手段３１、可動演出手段３２等を遊技盤１１の裏側に固定する裏ケース４１を備えている。裏ケース４１は、図３，図４に示すように、略矩形状の背壁板４２と、この背壁板４２の上下左右の縁部から前向きに突設された周壁板４３ａ〜４３ｄと、それら周壁板４３ａ〜４３ｄの前縁側に装着される前カバー体４４とで略箱形に形成されており、前カバー体４４の前面側を遊技盤１１の背面に沿わせた状態で、例えば周壁板４３ａ〜４３ｄの前縁側に一体に設けられた鍔状の固定部４５を遊技盤１１にねじ止めすることにより遊技盤１１の裏側に着脱自在に固定されている。
【００２１】
裏ケース４１の背壁板４２には、その略中央に、前構造体２１側の前表示窓３４に対応する矩形状の後表示窓４６が形成され、この後表示窓４６に表示画面３１ａを一致させるように液晶表示手段３１が背壁板４２の背面側に着脱自在に装着されている。液晶表示手段３１は、演出図柄表示手段４７等を構成している。
【００２２】
演出図柄表示手段４７は、例えば特別図柄表示手段２９による特別図柄の変動表示と並行して演出図柄を変動表示するもので、１個又は複数個、例えば左右方向に３個の演出図柄を例えば各種の演出画像と共に液晶表示手段３１の表示画面３１ａに変動表示可能に構成されており、特別図柄始動手段１６に遊技球が入賞することを条件に特別図柄の変動開始と略同時に所定の変動パターンに従って演出図柄の変動を開始すると共に、特別図柄の変動停止と略同時に最終停止するように、演出図柄を左、右、中等の所定の順序で停止させるようになっている。
【００２３】
裏ケース４１の前カバー体４４には、前表示窓３４に対応する矩形状の開口部４８が形成されており、この開口部４８内に透明板４９が嵌め込まれている。また、例えば前カバー体４４の背面側には、開口部４８の上下両側に、上レール５１及び下レール５２が左右方向に配置されている。
【００２４】
可動演出手段３２は、液晶表示手段３１の表示画面３１ａの前側を両引き戸型の扉により開閉するもので、裏ケース４１内に夫々左右方向移動可能に配置された左右一対の開閉扉（可動体）５３ａ，５３ｂと、これら開閉扉５３ａ，５３ｂを、互いに対向する閉鎖側端縁５４ａ，５４ｂ同士が略当接して液晶表示手段３１の前側を完全に覆う「全閉位置」（図２（ｂ））と、互いに左右に離間して液晶表示手段３１の前側を全て開放する「全開位置」（図２（ａ），図４）との間で開閉駆動する駆動機構５５ａ，５５ｂと、開閉扉５３ａ，５３ｂが開閉する際の上下両端側の動作を同期させる同期機構５６ａ，５６ｂとを備え、例えば演出図柄表示手段４７の変動パターンに応じて所定の動作パターンに従って開閉動作するようになっている。
【００２５】
開閉扉５３ａ，５３ｂは、扉本体５７と、この扉本体５７の下端側に配置された下部縦車輪５８及び下部横車輪５９と、扉本体５７の上端側に配置された上部縦車輪６０及び上部横車輪６１とを備えている。扉本体５７は、例えば縦長の矩形状で、その高さは後表示窓４６と略同じかそれよりも大きく、横幅は左右の開閉扉５３ａ，５３ｂを合わせて後表示窓４６を略覆うことが可能な寸法に形成されている。
【００２６】
下部縦車輪５８は、扉本体５７を下側から支持して開閉方向に案内するもので、扉本体５７の下縁側に沿って左右方向に複数、例えば二つ配置されており、例えば扉本体５７から前向きに突設された車軸６２により回転自在に支持されて下レール５２の上面側に設けられた案内溝６３に沿って左右方向に転動可能となっている。下部横車輪５９は、扉本体５７の下端側を前側への移動を規制しつつ開閉方向に案内するもので、扉本体５７の下縁側に沿って左右方向に複数、例えば二つ配置されており、例えば扉本体５７の下端側から下向きに突設された車軸６４により回転自在に支持されて下レール５２の背面６５に沿って左右方向に転動可能となっている。
【００２７】
上部縦車輪６０は、扉本体５７の上端側を上側への移動を規制しつつ開閉方向に案内するもので、扉本体５７の上縁側に沿って左右方向に複数、例えば二つ配置されており、例えば扉本体５７の上縁側に設けられたブラケット６６から前向きに突設された車軸６７により回転自在に支持されて上レール５１の下面側に設けられた案内溝６８に沿って左右方向に転動可能となっている。上部横車輪６１は、扉本体５７の上端側を前側への移動を規制しつつ開閉方向に案内するもので、扉本体５７の上縁側に沿って左右方向に複数、例えば二つ配置されており、例えば扉本体５７の上縁側に設けられたブラケット６６から上向きに突設された車軸６９により回転自在に支持されて上レール５１の背面７０に沿って左右方向に転動可能となっている。
【００２８】
駆動機構５５ａ，５５ｂは、開閉扉５３ａ，５３ｂの各扉本体５７の上下一端側、例えば下端側に沿って配置された左右方向の被駆動部７１ａ，７１ｂと、この被駆動部７１ａ，７１ｂを介して開閉扉５３ａ，５３ｂを左右方向に駆動する駆動手段７２ａ，７２ｂとを備えている。
【００２９】
被駆動部７１ａ，７１ｂは、扉本体５７の下端側に沿って閉鎖側端縁５４ａ，５４ｂよりも相手側、即ち閉鎖方向前側に突出するように左右方向細長状に配置されており、その長手方向に沿ってラック７３が例えば下向きに設けられている。扉本体５７には、その下縁側から後ろ向きに底板部７４が延設されており、被駆動部７１ａ，７１ｂはこの底板部７４の下面側に設けられている。なお、開閉扉５３ａ，５３ｂの各被駆動部７１ａ，７１ｂは、開閉扉５３ａ，５３ｂの開閉時に互いに干渉しないように、その位置を互いに前後にずらして配置されている。
【００３０】
駆動手段７２ａ，７２ｂは、例えばステッピングモータで、その駆動軸７５が前向きとなるように裏ケース４１の背壁板４２に固定されている。駆動手段７２ａ，７２ｂの駆動軸７５には、その先端側にピニオンギア７６ａ，７６ｂが固定されており、それらピニオンギア７６ａ，７６ｂが被駆動部７１ａ，７１ｂのラック７３に夫々噛合している。
【００３１】
同期機構５６ａ，５６ｂは、例えば開閉扉５３ａ，５３ｂの上下両端側に対応して裏ケース４１側に左右方向に配置される各一対のラック８１，８２と、それら上下のラック８１，８２に夫々噛合する一対のピニオンギア８３，８４と、例えば開閉扉５３ａ，５３ｂ側に設けられ且つ上下のピニオンギア８３，８４を連動させる連結棒８５とを備えている。
【００３２】
連結棒８５は、開閉扉５３ａ，５３ｂの裏側に沿って上下方向に配置され、例えば扉本体５７の裏側に突設された上下一対の軸支持部８６により軸廻りに回転可能に支持されており、その上下両端側にピニオンギア８３，８４が夫々固定されている。即ち、上下のピニオンギア８３，８４は、連結棒８５を介してその軸廻りに連動して回転するようになっている。なお、連結棒８５の上下両端側には、ピニオンギア８３，８４と軸支持部８６との間に夫々スペーサ８７が装着されており、ピニオンギア８３，８４を上下方向の所定位置に保持している。
【００３３】
ラック８１，８２は、開閉扉５３ａ，５３ｂが開閉する際のピニオンギア８３，８４の各移動範囲に対応して裏ケース４１側に左右方向に配置されており、それらラック８１，８２に対してピニオンギア８３，８４が前側から噛合している。なお、ラック８１，８２は、例えば裏ケース４１側の背壁板４２の前側に突設された左右方向の突条８８，８９の前面側に設けられている。
【００３４】
また、例えば裏ケース４１内には、開閉扉５３ａ，５３ｂが全開位置（原点位置の一例）にあることを検出する原点検出スイッチ９０ａ，９０ｂが設けられている。これら原点検出スイッチ９０ａ，９０ｂは、例えば互いに対向する投光部と受光部とを備えた略コの字型の透過型フォトセンサにより構成されており、開閉扉５３ａ，５３ｂが全開位置にあるときに例えば扉本体５７側に設けられた突起状の被検出部９１を検出してＯＮとなるように、センサ基板９２を介して例えば左右の周壁板４３ｃ，４３ｄの内側に固定されている。
【００３５】
以上のような可動演出手段３２では、後述する駆動制御手段１０５の制御により所定の動作パターンに従って駆動手段７２ａ，７２ｂが開放方向又は閉鎖方向に作動すると、ピニオンギア７６ａ，７６ｂの回転に伴ってそれらに噛合しているラック７３が移動し、各ラック７３が固定されている開閉扉５３ａ，５３ｂが夫々開放方向又は閉鎖方向に移動する。また、開閉扉５３ａ，５３ｂの移動中は、同期機構５６ａ，５６ｂにより開閉扉５３ａ，５３ｂの上端側と下端側とでその移動方向及び移動速度が全く同一となるため、開閉扉５３ａ，５３ｂは傾くことなく移動し、全閉位置で停止しても例えば上端側に隙間が残るようなこともない。
【００３６】
図５は可動演出手段３２及び演出図柄表示手段４７による演出に関する制御系のブロック図である。演出制御手段１０１は、遊技に関する制御を行う遊技制御手段１０２から送信されるコマンドに基づいて、演出図柄表示手段４７による演出図柄の変動演出とこれに対応する可動演出手段３２による可動演出とを制御するもので、演出図柄表示制御手段１０３、動作パターン選択手段１０４、駆動制御手段１０５、可動演出開始制御手段１０６等を備えている。
【００３７】
演出図柄表示制御手段１０３は、演出図柄表示手段４７の表示制御を行うもので、例えば遊技制御手段１０２側から変動パターン指定コマンド及び停止図柄指定コマンドを受信した場合に、指定された変動パターンに基づいて演出図柄表示手段４７による演出図柄の変動を開始させると共に、変動停止コマンドを受信したときに、停止図柄指定コマンドで指定された停止図柄で演出図柄の変動を停止させるようになっている。
【００３８】
動作パターン選択手段１０４は、可動演出手段３２の動作パターンを選択するもので、例えば遊技制御手段１０２側から演出図柄に関する変動パターン指定コマンドを受信し、その変動パターン指定コマンドに基づいて演出抽選を行い、可動演出を行う旨の抽選結果が得られた場合に、その可動演出に対応する動作パターンを選択するように構成されている。なお、この動作パターン選択手段１０４を遊技制御手段１０２側に設け、遊技制御手段１０２側から演出制御手段１０１側に動作パターンコマンドを送信するように構成してもよい。
【００３９】
本実施形態では、図６に示すような７種類の動作パターンＰ１〜Ｐ７が用意されているものとする。なお、図６では、開閉扉５３ａ，５３ｂを全開状態と全閉状態との間で移動させるために必要な駆動手段７２ａ，７２ｂのステップ数を片道３００ステップとし、１ステップ当たりの時間は低速で１６ｍｓ、中速で８ｍｓ、高速で４ｍｓとしている。
【００４０】
動作パターンＰ１〜Ｐ７は、全て全開位置（原点位置）から動作を開始して再び全開位置（原点位置）に戻るように設定されている。動作パターンＰ１〜Ｐ３（複動作パターンの一例）は、左右の開閉扉５３ａ，５３ｂを共に動作させるもので、Ｐ１，Ｐ２は全閉位置まで、Ｐ３は全開位置と全閉位置との中間位置まで移動させるように設定されている。また、動作パターンＰ１は動作開始直後を除く閉方向への速度が高速に設定されているのに対し、動作パターンＰ２，Ｐ３は中速に設定されている。
【００４１】
また、動作パターンＰ４，Ｐ５は左の開閉扉５３ａのみを、動作パターンＰ６，Ｐ７は右の開閉扉５３ｂのみを夫々動作させるもので（単動作パターンの一例）、動作範囲及び動作速度は、動作パターンＰ４，Ｐ６が動作パターンＰ１と、動作パターンＰ５，Ｐ７が動作パターンＰ２と夫々同一に設定されている。
【００４２】
駆動制御手段１０５は、動作パターン選択手段１０４で選択された動作パターンに従って開閉扉５３ａ，５３ｂを動作させるべく駆動手段７２ａ，７２ｂを制御するもので、例えば後述する可動演出開始制御手段１０６により開始許可フラグに１がセットされることを条件に、図７に示す駆動制御処理を実行するように構成されている。
【００４３】
駆動制御手段１０５による駆動制御処理（図７）では、まず開始許可フラグ、左原点フラグ、右原点フラグに夫々０がセットされ（Ｓ１）、動作パターン選択手段１０４で選択された動作パターンに従って駆動手段７２ａ，７２ｂにパルス信号が出力される（Ｓ２，Ｓ３）。例えば、動作パターンＰ１が選択された場合には、左右の駆動手段７２ａ，７２ｂに対し、閉方向に低速（１６ｍｓ）で２０ステップ、閉方向に高速（４ｍｓ）で２８０ステップ、開方向に中速（８ｍｓ）で３００ステップのパルス信号が出力される。また例えば、動作パターンＰ５が選択された場合には、左の駆動手段７２ａに対し、閉方向に低速（１６ｍｓ）で２０ステップ、閉方向に中速（８ｍｓ）で２８０ステップ、開方向に中速（８ｍｓ）で３００ステップのパルス信号が出力される。
【００４４】
動作パターンに従ったパルス信号の出力が終了すると（Ｓ３：Ｙｅｓ）、左右の開閉扉５３ａ，５３ｂが夫々原点位置である全開位置にあるか否か、即ち原点検出スイッチ９０ａ，９０ｂが夫々ＯＮであるか否かが判定される（Ｓ４，Ｓ７）。そして、原点検出スイッチ９０ａがＯＮの場合には左原点フラグに１が（Ｓ５）、原点検出スイッチ９０ｂがＯＮの場合には右原点フラグに１が（Ｓ８）夫々セットされ、左原点フラグと右原点フラグとが共に１の場合（左右の開閉扉５３ａ，５３ｂが共に原点位置にある場合）にはここで駆動制御処理は終了する。
【００４５】
一方、原点検出スイッチ９０ａ，９０ｂの少なくとも一方がＯＮでない場合（左右の開閉扉５３ａ，５３ｂの少なくとも一方が原点位置にない場合）には、原点検出スイッチ９０ａ，９０ｂが共にＯＮになるか、又は動作パターンの終了から所定時間が経過するまで、その原点位置にない開閉扉５３ａ，５３ｂに対応する駆動手段７２ａ，７２ｂに対して閉方向のパルス信号が出力される（Ｓ６，Ｓ９，Ｓ１０，Ｓ１１）。
【００４６】
動作パターンの終了から所定時間が経過しても原点検出スイッチ９０ａ，９０ｂの少なくとも一方がＯＮにならなかった場合には（Ｓ１１：Ｙｅｓ）、何らかのエラーが発生した可能性が高いため、そのエラーが解除されて原点検出スイッチ９０ａ，９０ｂが共にＯＮになるまで、画像、音声、ランプ等によるエラー報知、その他のエラー処理が実行される（Ｓ１２，Ｓ１３）。エラーが解除されると（Ｓ１３：Ｙｅｓ）、左原点フラグと右原点フラグとに夫々１がセットされて（Ｓ１４）駆動制御処理は終了する。
【００４７】
可動演出開始制御手段１０６は、可動演出手段３２による可動演出の開始を制御するもので、可動演出の開始時期が到来すること、即ち例えば動作パターン選択手段１０４により所定の動作パターンが選択されることを条件に、図８に示す可動演出開始制御処理を実行するように構成されている。
【００４８】
可動演出開始制御手段１０６による可動演出開始制御処理（図８）では、動作パターン選択手段１０４で選択された動作パターンに応じた処理が行われる。まず左右の開閉扉５３ａ，５３ｂが共に作動する動作パターンＰ１〜Ｐ３（複動作パターン）の何れかが選択された場合には（Ｓ２１：Ｙｅｓ）、左原点フラグと右原点フラグとの両方が参照され、それらが共に１であること、即ち左右の開閉扉５３ａ，５３ｂが共に原点位置にあることを条件に（Ｓ２２：Ｙｅｓ）、開始許可フラグに１がセットされる（Ｓ２９）。
【００４９】
開始許可フラグに１がセットされると、駆動制御手段１０５による駆動制御処理（図７）が開始されるため、演出図柄表示手段４７による演出図柄の変動表示と同期して開閉扉５３ａ，５３ｂが所定の動作パターンに従ってその表示画面３１ａの前側を閉鎖及び開放する。
【００５０】
Ｓ２２において左原点フラグと右原点フラグとの少なくとも一方が１でないと判定された場合には（Ｓ２２：Ｎｏ）、所定時間を限度として待機し（Ｓ２３）、その間に左原点フラグと右原点フラグとが共に１となった場合には（Ｓ２２：Ｙｅｓ）、その時点で開始許可フラグに１がセットされる（Ｓ２９）。但しこの場合には、待機した時間だけ可動演出の開始が遅れるため、そのままでは演出図柄表示手段４７による演出図柄の変動表示と可動演出手段３２による可動演出とにずれが生じてしまう。従って、Ｓ２２で左原点フラグと右原点フラグとが共に１と判定されるまでに待機時間が生じた場合には、その旨を演出図柄表示制御手段１０３に出力して演出図柄表示手段４７による演出図柄の変動表示の開始タイミングを遅らせることが望ましい。なお、演出図柄表示手段４７による演出図柄の変動を若干遅らせても、特別図柄表示手段２９による特別図柄の変動を送らせなければ遊技進行に影響はない。
【００５１】
また、所定時間が経過しても依然として左原点フラグと右原点フラグとの少なくとも一方が１にならない場合には（Ｓ２３：Ｙｅｓ）、その動作パターンによる可動演出がキャンセルされる（Ｓ３０）。なおこの場合、演出図柄表示手段４７の図柄変動も同時にキャンセルしてもよいが、例えば可動演出のみをキャンセルして演出図柄表示手段４７による図柄変動のみを行っても演出が不自然にならない場合には演出図柄表示手段４７の図柄変動はキャンセルすることなく予定通り行ってもよい。
【００５２】
以上のように、左右の開閉扉５３ａ，５３ｂが共に作動する動作パターンＰ１〜Ｐ３による可動演出は、左右の開閉扉５３ａ，５３ｂが共に原点位置にあることを条件に開始されるため、片方の開閉扉が原点位置にないために他方の開閉扉のみが動作したり、左右の開閉扉５３ａ，５３ｂの動作にズレが生じるような不具合を防止できる。
【００５３】
一方、左の開閉扉５３ａのみが作動する動作パターンＰ４，Ｐ５、又は右の開閉扉５３ｂのみが作動する動作パターンＰ６，Ｐ７（単動作パターン）の何れかが選択された場合には（Ｓ２１：Ｎｏ→Ｓ２４：Ｙｅｓ、又はＳ２１：Ｎｏ→Ｓ２４：Ｎｏ）、左原点フラグ又は右原点フラグのみが参照され、それが１であることを条件に（Ｓ２５：Ｙｅｓ、又はＳ２７：Ｙｅｓ）、開始許可フラグに１がセットされる（Ｓ２９）。Ｓ２５又はＳ２７において左原点フラグ又は右原点フラグが１でないと判定された場合には（Ｓ２５：Ｎｏ、又はＳ２７：Ｎｏ）、所定時間を限度として待機し（Ｓ２６又はＳ２８）、その間に左原点フラグ又は右原点フラグが１となった場合には（Ｓ２５：Ｙｅｓ、又はＳ２７：Ｙｅｓ）、その時点で開始許可フラグに１がセットされる（Ｓ２９）。
【００５４】
この場合も、Ｓ２５又はＳ２７で左原点フラグ又は右原点フラグが１と判定されるまでに待機時間が生じた場合には、その旨を演出図柄表示制御手段１０３に出力して演出図柄表示手段４７による演出図柄の変動表示の開始タイミングを遅らせることが望ましい。
【００５５】
また、所定時間が経過しても依然として左原点フラグ又は右原点フラグが１にならない場合には（Ｓ２６：Ｙｅｓ、又はＳ２８：Ｙｅｓ）、その動作パターンによる可動演出がキャンセルされる（Ｓ３０）。この場合も、演出図柄表示手段４７の図柄変動を同時にキャンセルしてもよいし、例えば可動演出のみをキャンセルして演出図柄表示手段４７による図柄変動のみを行っても演出が不自然にならない場合には演出図柄表示手段４７の図柄変動はキャンセルすることなく予定通り行ってもよい。
【００５６】
以上説明したように、本実施形態のパチンコ機では、動作パターンＰ１〜Ｐ７のうち、左右の開閉扉５３ａ，５３ｂが共に動作する複動作パターンＰ１〜Ｐ３による演出を行う場合、その動作対象の開閉扉５３ａ，５３ｂが夫々原点位置にあるか否かを判定し、それら動作対象の開閉扉５３ａ，５３ｂが共に各原点位置にあることを条件に、駆動制御手段１０５が複動作パターンＰ１〜Ｐ３に従って駆動手段７２ａ，７２ｂの駆動を開始させるように構成されているため、それら開閉扉５３ａ，５３ｂの動作を完全に同期させることができ、片方の開閉扉が原点位置にないために他方の開閉扉のみが動作したり、左右の開閉扉５３ａ，５３ｂの動作にズレが生じるような不具合を防止できる。
【００５７】
また、動作対象の開閉扉５３ａ，５３ｂの少なくとも１つが原点位置にない場合、それら動作対象の開閉扉５３ａ，５３ｂが共に原点位置にくることを待って、駆動制御手段１０５が複動作パターンＰ１〜Ｐ３に従って駆動手段７２ａ，７２ｂの駆動を開始させるように構成されているため、開閉扉５３ａ，５３ｂの何れかに若干の動作遅れ等が発生しても、続く演出においてはその動作遅れを解消して正常に動作させることができる。
【００５８】
また、動作対象の開閉扉５３ａ，５３ｂが共に原点位置にくるまで待つことにより複動作パターンＰ１〜Ｐ３に従った駆動手段７２ａ，７２ｂの駆動開始が遅れた場合には、その複動作パターンＰ１〜Ｐ３と同調して行われる演出図柄表示手段４７による図柄変動の開始を遅らせるように構成されているため、両演出のズレを防止できる。
【００５９】
更に、所定時間が経過しても動作対象の開閉扉５３ａ，５３ｂの少なくとも一方が原点位置にこない場合には、複動作パターンＰ１〜Ｐ３による演出を取り消すように構成されているため、いたずらに演出開始を遅らせて遊技の進行と整合しなくなる不具合を防止できる。
【００６０】
また、複動作パターンＰ１〜Ｐ３による演出を取り消す場合に、その複動作パターンＰ１〜Ｐ３と同期して行われる演出図柄表示手段４７による図柄変動も取り消すように構成すれば、演出図柄表示手段４７による図柄変動のみを行うことによって演出が不自然になることを防止できる。
【００６１】
駆動制御手段１０５は、動作パターンＰ１〜Ｐ７に従って駆動手段７２ａ，７２ｂを駆動させた後、開閉扉５３ａ，５３ｂが夫々の原点位置に戻っているか否かを判定し、原点位置に戻っていない場合にはその開閉扉５３ａ，５３ｂ側の駆動手段７２ａ，７２ｂを追加的に作動させるように構成されているため、開閉扉５３ａ，５３ｂが原点位置からずれた状態を短時間で修正できる。
【００６２】
一定期間追加的に駆動手段７２ａ，７２ｂを作動させても開閉扉５３ａ，５３ｂが原点位置に戻ったと判定されない場合には所定のエラー処理を行うように構成されているため、開閉扉５３ａ，５３ｂの動作異常を早期に発見できる。
【００６３】
動作パターンＰ１〜Ｐ７のうち、複数の開閉扉５３ａ，５３ｂのうちの１つのみが動作する単動作パターンＰ４〜Ｐ７による演出を行う場合には、その動作対象の開閉扉５３ａ，５３ｂが原点位置にあることを条件に、駆動制御手段１０５が単動作パターンＰ４〜Ｐ７に従って駆動手段７２ａ，７２ｂの駆動を開始させるように構成されているため、その動作パターンで動作しない開閉扉が原点位置になくても迅速に可動演出を開始することができる。
【００６４】
以上、本発明の各実施形態について詳述したが、本発明はこれら各実施形態に限定されるものではなく、本発明の趣旨を逸脱しない範囲で種々の変更が可能である。例えば、実施形態では可動体として一対の開閉扉５３ａ，５３ｂを用いた例を示したが、三つ以上の可動体が並行して動作可能な場合も同様に実施可能である。即ち、三つ以上の可動体を備えた場合には、それらのうちの少なくとも２つが動作する複動作パターンによる演出を行う場合に、その動作対象の可動体が夫々原点位置にあるか否かを判定し、それら動作対象の可動体が全て各原点位置にあることを条件に、駆動制御手段１０５が複動作パターンに従って駆動手段７２ａ，７２ｂの駆動を開始させるように構成すればよい。また、可動体は回転動作等を行うものでもよいしその動作方向も任意である。
【００６５】
また、実施形態では本発明をパチンコ機に適用した例を示したが、アレンジボール機、スロットマシン等の各種遊技機において同様に実施可能であることは言うまでもない。
【符号の説明】
【００６６】
５３ａ，５３ｂ    開閉扉（可動体）
７２ａ，７２ｂ    駆動手段
１０５            駆動制御手段
Ｐ１〜Ｐ３        複動作パターン
Ｐ４〜Ｐ７        単動作パターン
【図１】
0005634588.tif 000002
【図２】
0005634588.tif 000003
【図３】
0005634588.tif 000004
【図４】
0005634588.tif 000005
【図５】
0005634588.tif 000006
【図６】
0005634588.tif 000007
【図７】
0005634588.tif 000008
【図８】
0005634588.tif 000009